(57)【要約】【課題】空気調和機のユニットをアンカーボルトに締結する際、底ベースが割れるのを防止することが可能な空気調和機のユニット設置用架台の提供を目的とする。【解決手段】当該空気調和機のユニット設置用架台１１は、アンカーボルト６１２を挿通可能な孔５１３を有する底ベース５１２を備えた空気調和機のユニット５１１を載置する架台であって、対辺を構成する一対のフレーム２１１、２１２とこのフレーム２１１、２１２に設けられた少なくとも一組の被係合部ａとを有する枠体と、両端部が被係合部ａに係合する係合部ｂ１を有すると共に、下端が床面６１１に接しかつ上端が底ベース５１２に接する中柱３１とを備え、中柱３１がアンカーボルト６１２を挟み込むか、または中柱３１と枠体２１とがアンカーボルト６１２を挟み込むことを特徴とする。【選択図】図３
2019143930.tif 000002
【特許請求の範囲】
【請求項１】
アンカーボルトを挿通可能な孔を有する底ベースを備えた空気調和機のユニットを載置する架台であって、
対辺を構成する一対のフレームと前記一対のフレームに設けられた少なくとも一組の被係合部とを有する枠体と、
両端部が前記被係合部に係合する係合部を有すると共に、下端が床面に接しかつ上端が前記底ベースに接する中柱と、を備え、
前記中柱が前記アンカーボルトを挟み込むか、または前記中柱と前記枠体とが前記アンカーボルトを挟み込むことを特徴とする空気調和機のユニット設置用架台。
【請求項２】
中柱がアンカーボルトを挟み込む構成が、前記中柱が前記アンカーボルトを挿通可能な通孔を有しているものである請求項１に記載の空気調和機のユニット設置用架台。
【請求項３】
中柱の通孔が、前記中柱の幅方向の略中央部に設けられている請求項２に記載のユニット設置用架台。
【請求項４】
中柱または枠体とアンカーボルトとの間のクリアランスが、底ベースと前記アンカーボルトとの間のクリアランスよりも大きい請求項１から請求項３のいずれか１項に記載の空気調和機のユニット設置用架台。
【請求項５】
被係合部と係合部との係合が、着脱自在である請求項１から請求項４のいずれか１項に記載の空気調和機のユニット設置用架台。
【請求項６】
中柱の幅が、枠体の幅よりも大きい請求項１から請求項５のいずれか１項に記載の空気調和機のユニット設置用架台。
【請求項７】
高さが、載置されるユニットの底ベース下端からドレン口までの高さよりも小さい請求項１から請求項６のいずれか１項に記載の空気調和機のユニット設置用架台。
【発明の詳細な説明】
【技術分野】
【０００１】
本発明は、空気調和機のユニット設置用架台に関する。
【背景技術】
【０００２】
空気調和機の室内ユニットは、熱交換器にて生じた結露水を一時的に貯留するドレンパンが設けられ、このドレンパンに接続された配管を介して室外に排水するようになっている。
【０００３】
このような構造の室内ユニットでは、室内ユニットの設置場所等の理由で配管長が長くなることもあり、かかる場合、例えば、室内ユニットを載置するための架台を設け、配管に十分な勾配を確保することで結露水を円滑に排水させる。
【０００４】
ここで、上述した架台としては、例えば、補強用の中柱が設けられた平面視矩形状の木枠が用いられ、室内ユニットの底ベースをアンカーボルトに締結することで室内ユニットを床面に固定する技術が知られている。
【発明の概要】
【発明が解決しようとする課題】
【０００５】
しかしながら、上述したような従来の架台は、木枠や中柱が底ベースと床面との両者に当接することでユニットの荷重に耐え得るように補強されているものの、底ベースをアンカーボルトに締結する際、ボルト締めの進行に伴って底ベース中に生じる曲げ応力が増大し、締め付けトルクによっては底ベースが割れる虞がある。
【０００６】
本発明は、以上のような事情に基づいてなされたものであり、その目的は、空気調和機のユニットをアンカーボルトに締結する際、底ベースが割れるのを防止することが可能な空気調和機のユニット設置用架台を提供することにある。
【課題を解決するための手段】
【０００７】
本開示の一つの態様は、
アンカーボルトを挿通可能な孔を有する底ベースを備えた空気調和機のユニットを載置する架台であって、
対辺を構成する一対のフレームと前記一対のフレームに設けられた少なくとも一組の被係合部とを有する枠体と、
両端部が前記被係合部に係合する係合部を有すると共に、下端が床面に接しかつ上端が前記底ベースに接する中柱と、を備え、
前記中柱が前記アンカーボルトを挟み込むか、または前記中柱と前記枠体とが前記アンカーボルトを挟み込むことを特徴とする空気調和機のユニット設置用架台（以下、単に「架台」とも称する）
である。
【０００８】
なお、本明細書において、「ユニット」とは、冷媒を用いた熱交換器を具備する空気調和機の構成要素を意味し、例えば、空気調和機の室内機および室外機を含む。また、「中柱がアンカーボルトを挟み込む」とは、中柱とアンカーボルトとが接触している態様およびクリアランスを有する態様の両者を含む概念であり、「中柱と枠体とがアンカーボルトを挟み込む」とは、中柱とアンカーボルト、および枠体とアンカーボルトそれぞれが、接触している態様およびクリアランスを有する態様の両者を含む概念である。「係合」とは、係合部と被係合部とが固着されているもの、および着脱可能であるもの、のいずれも含む概念である。「幅」とは、平面視、部材の長手方向に直交する方向の寸法を意味し、「幅方向」とは、上記直交する方向を意味する。
【発明の効果】
【０００９】
本発明は、空気調和機のユニットをアンカーボルトに締結する際、底ベースが割れるのを防止することが可能な空気調和機のユニット設置用架台を提供することができる。
【図面の簡単な説明】
【００１０】
【図１】本発明の第１の実施形態を示す概略的斜視図である。
【図２】図１の組み立て過程を示す概略的斜視図である。
【図３】ユニットの設置方法を説明するための概略的斜視図である。
【図４】アンカーボルトの締結状態を示す中柱近傍の概略的縦断面図である。
【図５】本発明の第２の実施形態を示す概略的斜視図である。
【図６】図５の床面への設置状態を示す概略的斜視図である。
【図７】本発明の第３の実施形態を示す概略的斜視図である。
【図８】図７の床面への設置状態を示す概略的斜視図である。
【図９】本発明の第４の実施形態を示す概略的斜視図である。
【図１０】図９の床面への設置状態を示す概略的斜視図である。
【発明を実施するための形態】
【００１１】
当該空気調和機のユニット設置用架台は、アンカーボルトを挿通可能な孔を有する底ベースを備えた空気調和機のユニットを載置する架台であって、対辺を構成する一対のフレームと上記一対のフレームに設けられた少なくとも一組の被係合部とを有する枠体と、両端部が上記被係合部に係合する係合部を有すると共に、下端が床面に接しかつ上端が上記底ベースに接する中柱と、を備え、上記中柱が上記アンカーボルトを挟み込むか、または上記中柱と上記枠体とが上記アンカーボルトを挟み込むことを特徴とする。
【００１２】
以下、本発明の第１〜第４の実施形態について図面を参照して説明するが、本発明は、当該図面に記載の実施形態にのみ限定されるものではない。
【００１３】
［第１の実施形態］
本発明の第１の実施形態について、図１〜図４を参照して説明する。図１は、本発明の第１の実施形態を示す概略的斜視図である。当該空気調和機のユニット設置用架台１１は、平置台であって、図１に示すように、概略的に、枠体２１と、２本の中柱３１とにより構成されている。
【００１４】
枠体２１は、アンカーボルト６１２を挿通可能な孔５１３を有する底ベース５１２を備えた空気調和機のユニット５１１を載置するものであり、後述する中柱３１と共に架台１１を構成し、この架台１１を用いて上記ユニット５１１が床面６１１に設けられたアンカーボルト６１２に締結される。
【００１５】
枠体２１は、対辺を構成する一対のフレームを有している。この枠体２１は、具体的には、例えば、長手形状の略四角柱などで形成された２本の縦フレーム２１１と２本の横フレーム２１２とを用い、これら縦フレーム２１１および横フレーム２１２の端部どうしを図示していない釘、フィニッシュネール、接着剤等で固着することで、例えば、平面視矩形状に構成することができる。
【００１６】
枠体２１を構成する材料としては、ユニット５１１を安定的に載置することができれば特に限定されず、例えば、アルミニウムなどの金属材料、木材、アクリル樹脂などの樹脂材料等を採用することができる。
【００１７】
上述の枠体２１は、上述した一対のフレーム（例えば、当該架台１１における一対の横フレーム２１２）に設けられた少なくとも一組の被係合部ａを有している。この被係合部ａは、後述する中柱３１の係合部ｂ１と係合することができれば特に限定されず、例えば、図２に示すような、横フレーム２１２における枠体２１の内周に設けられた、中柱３１を嵌合するための切り欠き部ａ１等を採用することができる。このような中柱３１に嵌合可能な切り欠き部ａ１を設けることで、中柱３１が枠体２１に固定されるため、作業性を向上させることができる。
【００１８】
中柱３１は、両端部が切り欠き部ａ１（被係合部ａ）に係合する係合部ｂ１を有すると共に、図４に示すように、下端が床面６１１に接しかつ上端が底ベース５１２に接する部材である。この中柱３１は、枠体２１を補強すると共に、載置されるユニット５１１の荷重の少なくとも一部を受け止めるなどを作用を有している。なお、中柱３１は、底ベース５１２の押圧に効果的に対抗できるように、中実の部材で形成されていることが好ましく、本実施形態では、中柱３１が長手形状の略四角柱で形成されている。また、本実施形態では、横フレーム２１２の切り欠き部ａ１と中柱３１の係合部ｂ１との係合は、着脱自在に形成されている。また、中柱３１は、ユニット５１１の冷媒配管取出し口５１４（図３参照）を塞がない位置に設けられる。
【００１９】
なお、縦フレーム、横フレームおよび中柱のうちの少なくともいずれかの部材が複数本で構成される場合、当該部材は、同一形状であることが好ましい。これにより、部材の種類を削減することができ、製造コストを低減することができる。
【００２０】
当該架台１１は、中柱３１がアンカーボルト６１２を挟み込むものである。具体的には、図３および図４に示すように、中柱３１がアンカーボルト６１２を挟み込む構成が、中柱３１がアンカーボルト６１２を挿通可能な通孔４１を有しているものであり、ユニット５１１を設置する際、この通孔４１にアンカーボルト６１２が挿通される。これにより、中柱３１をアンカーボルト６１２の全周に亘って隣接させることができ、アンカーボルト６１２の締結に伴う底ベース５１２の押力が中柱３１の通孔４１周りへ均等化し、底ベース５１２の割れをより低減することができる。
【００２１】
なお、中柱３１の通孔４１は、図４に示すように、この中柱３１の幅方向の略中央部に設けられていることが好ましい。これにより、中柱３１が底ベース５１２の押力に対してバランスよく対抗することができる。
【００２２】
また、アンカーボルト６１２が隣接する中柱３１とアンカーボルト６１２との間のクリアランスは、図４に示すように、底ベース５１２とアンカーボルト６１２との間のクリアランスよりも大きくなるように形成されていることが好ましい。これにより、アンカーボルト６１２を容易に中柱３１の通孔４１に挿入することができ、ユニット５１１を架台１１上に設置する際の作業性を高めることができる。
【００２３】
また、中柱３１の幅は、枠体２１（縦フレーム２１１および横フレーム２１２）の幅よりも大きいことが好ましい。これにより、枠体２１をより補強することができると共に、この中柱３１上に載置されるユニット５１１の荷重を確実に受け止めることができる。
【００２４】
また、当該架台１１の高さ（床面６１１に設置したときの当該架台１１の鉛直方向の寸法）は、載置されるユニット５１１の底ベース５１２下端からドレン口までの高さよりも小さいことが好ましい。これにより、架台１１を床面６１１により安定して設置することができる。
【００２５】
次に、ユニット５１１の設置方法について説明する。まず、中柱３１の係合部ｂ１と枠体２１の切り欠き部ａ１とが係合するように、中柱３１を枠体２１に装着して架台１１を形成する（図２参照）。次いで、この架台１１の通孔４１にアンカーボルト６１２を貫通させて架台１１を床面６１１に配置した後、ユニット５１１の底ベース５１２に設けられた孔５１３にアンカーボルト６１２を挿通し、このユニット５１１を架台１１上に載置する。次いで、各アンカーボルト６１２に座金７０１、ナット７０２をこの順で装着し、ナット７０２をアンカーボルト６１２のネジ部に螺合させながら底ベース５１２を架台１１に締結させる。なお、架台１１、ユニット５１１、座金７０１、およびナット７０２の位置関係が図３に図示されている。
【００２６】
以上のように、当該架台１１は、上記構成であるので、空気調和機のユニット５１１をアンカーボルト６１２に締結する際、底ベース５１２が、ボルト締めに伴う曲げ応力に対抗することができ、底ベース５１２が割れるのを防止することができる。また、底ベース５１２に割れが生じ難い分、ボルト締めのトルク許容範囲が広がり、結果として設置の作業性を高めることができる。さらに、本実施形態では、横フレーム２１２の切り欠き部ａ１と中柱３１の係合部ｂ１との係合が、着脱自在に形成されているので、ユニット５１１に合わせて中柱３１を交換することができ、同じ枠体２１を用いて種々の底ベースの孔位置に対応した架台を簡易に得ることができる。
【００２７】
［第２の実施形態］
次に、本発明の第２の実施形態について、図５および図６を参照して説明する。図５は、本発明の第２の実施形態を示す概略的斜視図である。当該架台１２は、図５に示すように、概略的に、枠体２１と、２本の中柱３２とにより構成されている。当該架台１２は、中柱３２の構成が第１の実施形態と異なっている。なお、枠体２１は、第１の実施形態と同様の構成であるので、同一部分には同一符号を付してその詳細な説明を省略する。
【００２８】
中柱３２は、両端部が切り欠き部ａ１（被係合部ａ）に係合する係合部ｂ２を有すると共に、下端が床面６１１に接しかつ上端が底ベース５１２に接する部材である。この中柱３２は、図５に示すように、長手形状の略四角柱で形成されており、一端が開放された平面視略Ｕ字状の２つの切り欠き部４２を有している。なお、本実施形態では、横フレーム２１２の切り欠き部ａ１と中柱３２の係合部ｂ２との係合は、着脱自在に形成されている。
【００２９】
当該架台１２は、図６に示すように、１つの中柱３２が切り欠き部４２にて２本のアンカーボルト６１２を挟み込んでいる。なお、当該架台１２を用いたユニット５１１の設置方法については、上述した中柱３２がアンカーボルト６１２を挟み込む態様以外は、第１の実施形態と同様であるので、第１の実施形態の説明を援用する。
【００３０】
以上のように、当該架台１２は、上記構成であるので、空気調和機のユニット５１１をアンカーボルト６１２に締結する際、底ベース５１２が、ボルト締めに伴う曲げ応力に対抗することができ、底ベース５１２が割れるのを防止することができる。
【００３１】
［第３の実施形態］
次に、本発明の第３の実施形態について、図７および図８を参照して説明する。図７は、本発明の第３の実施形態を示す概略的斜視図である。当該架台１３は、図７に示すように、概略的に、枠体２３と、４本の中柱３３とにより構成されている。当該架台１３は、中柱３３および横フレーム２３２の構成が第１の実施形態と異なっている。
【００３２】
枠体２３は、平面視矩形状に形成されていると共に、この枠体２３の一対の横フレーム２３２は、それぞれ４つの切り欠き部ａ３（被係合部ａ）を備えている。なお、切り欠き部ａ３それぞれの構成、および枠体２３の切り欠き部ａ３以外の構成は、第１の実施形態と同様であるので、第１の実施形態の説明を援用する。
【００３３】
中柱３３は、両端部が切り欠き部ａ３に係合する係合部ｂ３を有すると共に、下端が床面６１１に接しかつ上端が底ベース５１２に接する部材である。この中柱３３は、図７に示すように、長手形状の略四角柱で形成されている。ここで、４本の中柱３３は、２本の縦フレーム２１１の内側にて当該縦フレーム２１１に平行に配置され、これら４本の中柱３３のうちの縦フレーム２１１に最も近くに位置する中柱３３と、この中柱３３に隣り合う中柱３３との間に、アンカーボルト６１２を挿入可能な間隙４３が形成されている。なお、本実施形態では、横フレーム２３２の切り欠き部ａ３と中柱３３の係合部ｂ３との係合は、接着剤（不図示）を用いて固着されている。
【００３４】
当該架台１３は、図８に示すように、上述の間隙４３にアンカーボルト６１２が挿入された状態において、２つの中柱３３が２本のアンカーボルト６１２を挟み込むように隣接する。なお、当該架台１３を用いたユニット５１１の設置方法については、上述した中柱３３がアンカーボルト６１２を挟み込む態様以外は、第１の実施形態と同様であるので、第１の実施形態の説明を援用する。
【００３５】
以上のように、当該架台１３は、上記構成であるので、空気調和機のユニット５１１をアンカーボルト６１２に締結する際、底ベース５１２が、ボルト締めに伴う曲げ応力に対抗することができ、底ベース５１２が割れるのを防止することができる。
【００３６】
［第４の実施形態］
次に、本発明の第４の実施形態について、図９および図１０を参照して説明する。図９は、本発明の第４の実施形態を示す概略的斜視図である。当該架台１４は、図９に示すように、概略的に、枠体２４と、２本の中柱３４とにより構成されている。当該架台１４は、中柱３４および横フレーム２４２の構成が第３の実施形態と異なっている。
【００３７】
枠体２４は、平面視矩形状に形成されていると共に、この枠体２４の一対の横フレーム２４２は、それぞれ２つの切り欠き部ａ４（被係合部ａ）を備えている。なお、切り欠き部ａ４それぞれの構成、および枠体の切り欠き部ａ４以外の構成は、第３の実施形態と同様であるので、第３の実施形態の説明を援用する。
【００３８】
中柱３４は、両端部が切り欠き部ａ４に係合する係合部ｂ４を有すると共に、下端が床面６４１に接しかつ上端が底ベースに接する部材である。この中柱３４は、図９に示すように、長手形状の略四角柱で形成されている。ここで、２本の中柱３４は、２本の縦フレーム２４１の内側にて当該縦フレーム２４１に平行に配置され、これら２本の中柱３４のうちの縦フレーム２４１に最も近くに位置する中柱３４と、上記縦フレーム２４１との間に、アンカーボルト６４２を挿入可能な間隙４４が形成されている。なお、本実施形態では、横フレーム２４２の切り欠き部ａ４と中柱３４の係合部ｂ４との係合は、接着剤（不図示）を用いて固着されている。
【００３９】
当該架台１４は、図１０に示すように、上述の間隙４４にアンカーボルト６４２が挿入された状態において、中柱３４と枠体２４の縦フレーム２４１とが２本のアンカーボルト６４２を挟み込むように隣接する。なお、当該架台１４を用いたユニットの設置方法については、上述した中柱３４と枠体２４（縦フレーム２４１）とがアンカーボルト６４２を挟み込む態様以外は、第３の実施形態と同様であるので、第３の実施形態の説明を援用する。
【００４０】
以上のように、当該架台１４は、上記構成であるので、空気調和機のユニットをアンカーボルト６４２に締結する際、底ベースが、ボルト締めに伴う曲げ応力に対抗することができ、底ベースが割れるのを防止することができる。
【００４１】
なお、本発明は、上述した実施形態の構成に限定されるものではなく、特許請求の範囲によって示され、特許請求の範囲と均等の意味および範囲内での全ての変更が含まれることが意図される。
【００４２】
例えば、上述した第１〜第４の実施形態では、被係合部ａとして切り欠き部ａ１〜ａ４を有する架台１１〜１４について説明したが、例えば、ネジ留め（不図示）など、枠体と中柱とを係合可能な他の係合部および被係合部を備えている架台であってもよい。
【００４３】
また、上述した第１〜第４の実施形態では、中柱３１〜３４が中実の部材で形成されている架台１１〜１４について説明したが、中柱は、底ベースの押圧に対抗できる限り、中空の部材で形成されていてもよい。
【符号の説明】
【００４４】
１１、１２、１３、１４  架台
２１、２３、２４  枠体
２１１、２４１  縦フレーム
２１２、２３２、２４２  横フレーム
ａ  被係合部
３１、３２、３３、３４  中柱
ｂ１、ｂ２、ｂ３、ｂ４  係合部
４１  通孔
４２  切り欠き部
４３、４４  間隙
５１１  ユニット
５１２  底ベース
５１３  孔
６１１、６４１  床面
６１２、６４２  アンカーボルト
７０１  座金
７０２  ナット
【図１】
2019143930.tif 000003
【図２】
2019143930.tif 000004
【図３】
2019143930.tif 000005
【図４】
2019143930.tif 000006
【図５】
2019143930.tif 000007
【図６】
2019143930.tif 000008
【図７】
2019143930.tif 000009
【図８】
2019143930.tif 000010
【図９】
2019143930.tif 000011
【図１０】
2019143930.tif 000012